(57)【特許請求の範囲】
【請求項１】
身体に面する表面（１０）と、前記衣類に面する表面に対向する衣類に面する表面（１１）と、重心（４０）と、長手方向中心線（Ｌ）と、前記長手方向中心線（Ｌ）に直交し、かつ前記重心で前記長手方向中心線と交差する横方向中心線（Ｔ）と、を含む、吸収性物品（５）であって、前記吸収性物品が、
背景領域（５０）と、
第１の付与された着色領域（６０）を含み、前記第１の付与された着色領域が前記長手方向中心線と重なっている、第１の層（２０）と、
前記第１の層と対向関係にあり、第２の付与された着色領域（７０）を含む第２の層であって、前記第２の付与された着色領域が、前記第１の付与された着色領域よりも、前記長手方向中心線から直交する方向へ離れるよう横方向により広くなっており、前記第２の付与された着色領域が自由端（１２５）を有し、前記第２の付与された着色領域が前記長手方向中心線をまたいで前記自由端間を連続して延びている、第２の層（２２）と、を含み、
前記第１の付与された着色領域及び前記第２の付与された着色領域が、前記背景領域と色の点で異なり、
前記背景領域、前記第１の付与された着色領域、及び前記第２の付与された着色領域が、前記身体に面する表面から見える、吸収性物品。
【請求項２】
前記第１の付与された着色領域が前記重心上と重なっている、請求項１に記載の吸収性物品。
【請求項３】
前記吸収性物品が２個の第２の付与された着色領域を含み、前記第１の付与された着色領域が前記２個の第２の付与された着色領域の間に位置する、請求項１又は２に記載の吸収性物品。
【請求項４】
前記第１の付与された着色領域及び前記第２の付与された着色領域が前記長手方向中心線に沿って互いから離間している、請求項１〜３のいずれか一項に記載の吸収性物品。
【請求項５】
前記第１の付与された着色領域及び前記第２の付与された着色領域が前記長手方向中心線に沿って少なくとも部分的に互いに重なり合う、請求項１〜３のいずれか一項に記載の吸収性物品。
【請求項６】
前記吸収性物品が周辺部（１１０）を有し、前記背景領域が前記第２の付与された着色領域と前記周辺部との間に位置する、請求項１〜５のいずれか一項に記載の吸収性物品。
【請求項７】
前記第１の付与された着色領域が実質的に細長い形状である、請求項１〜６のいずれか一項に記載の吸収性物品。
【請求項８】
前記第１の付与された着色領域及び前記第２の付与された着色領域が前記背景領域によって実質的に包囲されている、請求項１〜７のいずれか一項に記載の吸収性物品。
【請求項９】
前記第１の付与された着色領域及び前記第２の付与された着色領域が約２００未満のＣＩＥＬａｂ色空間体積内にある、請求項１〜８のいずれか一項に記載の吸収性物品。
【請求項１０】
前記吸収性物品が周辺部（１１０）を有し、前記第１の付与された着色領域が、前記横方向中心線と重なっている前記周辺部の部分の間の最大距離の約５０％未満の幅を有する、請求項１〜９のいずれか一項に記載の吸収性物品。
【請求項１１】
前記第１の付与された着色領域、前記第２の付与された着色領域、及び前記背景領域を、色のＬ＊、ａ＊、及びｂ＊に従ってＨｕｎｔｅｒ  Ｒｅｆｌｅｃｔａｎｃｅ  Ｍｅｔｅｒ試験によって測定し、前記Ｌ＊、ａ＊、及びｂ＊の値は前記身体に面する表面から測定され、前記第１の付与された着色領域及び前記第２の付与された着色領域が色差を有し、前記Ｌ＊、ａ＊、及びｂ＊の値を用いて、式ΔＥ＝［（Ｌ＊Ｘ・−Ｌ＊Ｙ）２＋（ａ＊Ｘ・−ａ＊Ｙ）２＋（ｂ＊Ｘ−ｂ＊Ｙ）２］１／２によって前記色差を計算すると、前記第１の付与された着色領域と前記背景領域との間の前記ΔＥが少なくとも約１であり、前記第２の付与された着色領域と前記背景領域との間の前記ΔＥが少なくとも約１である、請求項１〜１０のいずれか一項に記載の吸収性物品。
【請求項１２】
前記第２の付与された着色領域が実質的に弓形である、請求項１〜１１のいずれか一項に記載の吸収性物品。
【請求項１３】
前記第２の付与された着色領域が実質的に弓形であり、前記長手方向中心線を中心として対称であり、２個の自由端を有し、
前記第２の付与された着色領域の前記２個の自由端が、前記第２の付与された着色領域の他の部分よりも前記横方向中心線の近くに位置する、請求項１〜１２のいずれか一項に記載の吸収性物品。
【請求項１４】
前記第１の層が不織布であり、前記不織布の繊維が前記第２の層から突出している、請求項１〜１３のいずれか一項に記載の吸収性物品。
【請求項１５】
身体に面する表面（１０）と、衣類に面する表面と、周辺部（１１０）と、を有する吸収性物品（５）の製造方法であって、前記吸収性物品が互いに対向関係にある第１の層（２０）及び第２の層（２２）を含み、前記吸収性物品が重心（４０）を有し、前記吸収性物品が、長手方向中心線（Ｌ）と、前記重心で前記長手方向中心線と交差し且つ前記長手方向中心線と直交する横方向中心線（Ｔ）と、を有し、前記方法が、
ａ．前記長手方向中心線と重なっている第１の付与された着色領域（６０）を前記第１の層に設ける工程であって、前記第１の付与された着色領域が第１の着色技術によって設けられる、工程と、
ｂ．前記長手方向中心線から直交する方向へ離れるように横方向に前記第１の付与された着色領域よりも広い第２の付与された着色領域（７０）を、前記第２の層に設ける工程であって、前記第２の付与された着色領域が前記長手方向中心線をまたいで延び、前記第２の付与された着色領域が第２の着色技術によって設けられている、工程と、
ｃ．前記第１の層と前記第２の層を互いに重ね合わせる工程と、を含み、
前記吸収性物品が背景領域（５０）を含み、
前記背景領域、前記第１の付与された着色領域、及び前記第２の付与された着色領域が前記身体に面する表面から見え、
前記第１の付与された着色領域及び前記第２の付与された着色領域が色の点で前記背景領域と異なる、方法。
【発明の詳細な説明】
【技術分野】
【０００１】
吸収性物品の多層に視覚的に認識可能な要素を有する吸収性物品が開示される。
【背景技術】
【０００２】
異なる着色領域を含む様々な吸収性物品が市販されている。女性の膣又は尿道から排出される液体を収集する機能を果たす、生理用ナプキン、及び成人女性用失禁用品などの吸収性物品は、吸収性物品の中央部から離れた吸収性物品の部分とは色の点で異なる、吸収性物品の中央部に近い着色領域を含むことがある。
【０００３】
吸収性物品の製造業者は、吸収性物品の中央部に着色領域を含めることによって、吸収性物品の中央部が収集された液体を保持すべき場所であることを消費者に効果的に教示してきた。製造業者は、中央着色領域のために様々な設計を考案してきた。幾つかの吸収性物品では、中央着色領域は、吸収性物品の全幅と比較して比較的狭く、吸収性物品の長さの約１／２に沿ってだけ延びる。比較的狭い中央着色領域が採用された１つの考えられる理由は、かかる着色領域が奥行き感など所望の視覚的印象をもたらすことができたことであった。また、中央着色領域は、パンティ内での製品の使い方及び置き方が吸収性物品の染みのパターンに与え得る影響を消費者が理解することに役立ち、このことは、パンティ内で吸収性物品のシャーシをどのようにどこに取り付けるかを改善させて最大の性能を発揮するのに役立つ場合がある。狭い中央着色領域を有する設計を採用した製造業者は、かかる設計を有する吸収性物品を高速で製造する能力を開発してきた。
【０００４】
印刷機能を含む高速製造ラインは、吸収性物品の製造業者らにとって高資本コストを意味する。製造業者がかかる資本コストを効率的に回収するには、既存の製造ラインを使用して吸収性物品を製造し続けることが製造業者らにとって有利である。場合によっては、中央着色領域を設けるために製造業者らが選択した方法は、製造ラインの混雑が原因で、以前製造されていた着色領域よりも広い着色領域を設けるようには容易に適応できない。したがって、製造業者が吸収性物品のより大きい幅にわたって視覚的要素を設けることを所望する場合、横方向により広い着色領域を設けるために製造ラインの再編成が必要になり、したがって追加の資本コストが発生することがある。
【０００５】
吸収性物品での狭い中央着色領域に伴う別の問題は、中央着色領域の外に延びる染みのパターンを吸収性物品の吸収能力の限界を示していると連想する消費者もいることである。幾つかの吸収性物品では、中央着色領域は、吸収性物品の吸収能力の２５％未満を占める場合がある。
【０００６】
現在市販されている吸収性物品は、一般に、二次トップシート又はトップシートなど単一構成要素上だけに着色領域が設けられている。かかる方法は、設計者が消費者の要求を満たす革新的な設計を創出できる設計空間を制限し、製造業者が、より複雑で、横方向に広い設計に容易に移行できる能力を制限する場合がある。
【発明の概要】
【発明が解決しようとする課題】
【０００７】
これらの制限を念頭に置くと、かかる製造ラインによって以前製造されていた着色領域よりも横方向により広くなっている追加の着色領域を設けることができる既存の製造能力を、コスト効率よく用いて製造可能な吸収性物品に対する未対応のニーズが引き続き残る。更に、吸収性物品の比較的狭い着色領域の外側の領域に含まれる液体が吸収性物品内にしっかり保持され、漏れを心配する必要がないことをユーザーに確信させる吸収性物品に対する未対応のニーズが引き続き残る。更に、設計者が、使用可能な、より豊かな色彩印象の幅を有するように、複数の層に着色領域が設けられた吸収性物品に対する未対応のニーズが引き続きある。
【課題を解決するための手段】
【０００８】
身体に面する表面及び衣類に面する表面を有する吸収性物品が開示される。この吸収性物品は、互いに対向する関係にある第１の層及び第２の層を含む。この吸収性物品は、重心を有する。この吸収性物品は、長手方向中心線と、重心で長手方向中心線と交差し且つ長手方向中心線と直交する横方向中心線と、を有するこの吸収性物品は、背景領域を有する。第１の層は、長手方向中心線と重なっている、第１の付与された着色領域を含む。第２の層は、第１の付与された着色領域よりも、長手方向中心線から直交する方向へ離れるよう横方向により広くなっている、第２の付与された着色領域を含む。第２の付与された着色領域は、長手方向中心線をまたいで延びる。第２の付与された着色領域は、自由端を有する。背景領域、第１の付与された着色領域、及び第２の付与された着色領域は、身体に面する表面から見える。第１の付与された着色領域及び第２の付与された着色領域は、色の点で背景領域と異なる。
【０００９】
また、身体に面する表面、衣類に面する表面、及び周辺部を有する吸収性物品の製造方法が開示される。この吸収性物品は、互いに対向関係にある第１の層及び第２の層を含む。この吸収性物品は、重心を有する。この吸収性物品は、長手方向中心線と、重心で長手方向中心線と交差し且つ長手方向中心線と直交する横方向中心線と、を有する。この方法は、長手方向中心線と重なっている、第１の付与された着色領域を第１の層に設ける工程を含む。第１の付与された着色領域は、第１の着色技術によって設けられる。長手方向中心線から直交する方向へ離れるよう横方向に第１の付与された着色領域よりも広い第２の付与された着色領域を、第２の層に設け、第２の付与された着色領域が長手方向中心線をまたいで延びる。第２の付与された着色領域は、長手方向中心線をまたいで延びる。第２の付与された着色領域は、第２の着色技術によって設けられる。第１の層及び第２の層は、互いに重ね合わされる。この吸収性物品は、背景領域を含む。背景領域、第１の付与された着色領域、及び第２の付与された着色領域は、身体に面する表面から見える。第１の付与された着色領域及び第２の付与された着色領域は、色の点で背景領域と異なる。
【図面の簡単な説明】
【００１０】
【図１】吸収性物品の概略図。
【図２】図１に図示した吸収性物品の断面図。
【図３】図１の吸収性物品の第１の層の概略図。
【図４】図１の吸収性物品の第２の層の概略図。
【図５】吸収性物品の概略図。
【発明を実施するための形態】
【００１１】
本明細書において、「吸収性物品」は、下着の股部に着用される生理用ナプキン、パンティライナー、又は失禁パッドであってよい。幼児用おむつ、成人用失禁おむつ、及び人排泄物処理装置は、通常、下着と共に着用されることはないが、これらが本発明から利益を得る場合があることも考えられる。吸収性物品は、使い捨て吸収物品であってよい。
【００１２】
本明細書において、「色」という用語は、いずれかの原色、すなわち、白色、黒色、赤色、青色、紫色、オレンジ色、黄色、緑色、及び藍色、並びにそれらの淡色又は混合色のいずれかを包含し得る。「ノンカラー」又は「非着色」という用語は、白色を指し、少なくとも８０のＬ＊値、０±２に等しいａ＊値、及び０±２に等しいｂ＊値を有する色として更に定義される。
【００１３】
「使い捨て」という用語は、再び洗濯される、ないしは別の方法で吸収性物品として復元される又は再利用されることを意図しない吸収性物品（即ち、１回の使用後に廃棄することを意図する吸収性物品）を説明するために本明細書で用いられる。
【００１４】
第１の付与された着色領域が第１の層上に設けられ、第２の付与された着色領域が第２の層上に設けられてよいパンティライナー及び生理用ナプキンの非限定例には、Ｐｒｏｃｔｅｒ  ＆  Ｇａｍｂｌｅ  Ｃｏｍｐａｎｙ（Ｃｉｎｃｉｎｎａｔｉ、Ｏｈｉｏ）によって製造されるパンティライナーのＡＬＷＡＹＳ  ＵＬＴＲＡ、ＡＬＷＡＹＳ  ＩＮＦＩＮＩＴＹ、及びＡＬＷＡＹＳなどが挙げられる。米国特許第４，３２４，２４６号、同第４，４６３，０４５号、同第６，００４，８９３号、同第４，３４２，３１４号、同第４，４６３，０４５号、同第４，５５６，１４６号、同第４，５８９，８７６号、同第４，６８７，４７８号、同第４，９５０，２６４号、同第５，００９，６５３号、同第５，２６７，９９２号、及び米国再発行特許第３２，６４９号に開示される吸収性物品などの吸収性物品もまた、かかる構造から利益を受け得る吸収性物品として想到される。
【００１５】
吸収性物品５の平面図が図１に示される。吸収性物品５は、実質的に平面構造及び重心４０を有してよい。重心４０は、吸収性物品５の面内の質量の中心である。重心４０は、長手方向中心線Ｌと横方向中心線Ｔとの交点にある。横方向中心線Ｔは、長手方向中心線Ｌに直交する。吸収性物品５は、横方向中心線Ｔを中心として対称である必要はない。吸収性物品５は、横方向中心線Ｔを中心として対称であってよい。吸収性物品５は、身体に面する表面１０と、衣類に面する表面と、を有する。吸収性物品５は、第１の層２０と、第２の層２２と、を含む。第１の層２０及び第２の層２２は、対向する関係であってよい。例えば、第１の層２０及び第２の層２２は、互いに覆い合って互いに接触しているか、又は別の材料若しくは第１の層２０と第２の層２２との間に介在する材料のウェブ（若しくは、２つ以上の材料／材料のウェブ）で互いに覆い合っている、材料の実質的に平面のウェブであってよい。吸収性物品は、バックシート８０を有してよい。第２の層２２は、トップシート３０であってよい。
【００１６】
図１に示すように、吸収性物品５は、身体に面する表面１０である視認表面を有すると考えられてよい。身体に面する表面１０は、吸収性物品５が着用されるときに、生理用ナプキン、パンティライナー、又は成人用失禁製品の場合のように、着用者の身体と接触する吸収性物品５の側であってよく、あるいは、タンポンの場合には着用者の身体に挿入される吸収性物品５の側であってよい。概ね円筒形のタンポンの場合、長手方向中心線Ｌは、タンポンの身体に面する表面１０上で、タンポンの中心軸と一致すると見なされ、重心４０は、長手方向中心線Ｌの中間点であってよい。
【００１７】
身体に面する表面１０は、吸収性物品５の着用時に着用者の身体と接触する第２の層２２の側であってよい。かかる構成では、第２の層２２はトップシートとして機能することができ、第２の層２２は、流体透過性ポリマーフィルム、流体透過性不織布、又は他の好適な流体透過性材料である。別の実施形態では、流体透過性ポリマーフィルム又は流体透過性不織布などのトップシートは、着用者の身体と第２の層２との間にあってよい。第２の層２２が観察者と第１の層２０との間に位置するとしても、身体に面する表面１０が観察者に向けて示されると、第１の層２０及び第２の層２２は、目に見える（観察者によって、視覚的に認識され得る）。
【００１８】
吸収性物品５の身体に面する表面１０を観察すると、吸収性物品５は背景領域５０を有してよい。背景領域５０は、第１の付与された着色領域６０及び第２の付与された着色領域７０から視覚的に区別できる領域である。背景領域５０は、白色、又は第１の付与された着色領域６０及び第２の付与された着色領域７０から視覚的に区別できる任意の他の色であってよい。２色の間に少なくとも約１のΔＥがある場合、これらの色は視覚的に区別できると考えられる。
【００１９】
第１の層２０は、第１の付与された着色領域６０を含む。第１の付与された着色領域６０は、第１の層２０の所定の部分が着色された繊維を含むか、又は第１の層２０を構成する色とは異なる色を有するように下塗りされている場合のように、第１の層２０の構成要素であってよい。第１の付与された着色領域６０は、第１の層２０の一部に印刷することによって設けられてよい。第１の付与された着色領域６０は、第１の層２０を構成する色であり、背景領域５０は、第１の層２０を構成する色とは異なる色を有するように下塗りされていてよい。第１の付与された着色領域６０は、例えば、第１の層２０の身体に面する側、又は第１の層２０の衣類に面する側に設けられてよく、層又は吸収性物品５の衣類に面する側は、着用者の身体から離れる方向に配向された層又は吸収性物品５の側である。第１の層２０の身体に面する側は、第２の層２２を向いて配向される。
【００２０】
同様に、第２の層２２は第２の付与された着色領域７０を含む。第２の付与された着色領域７０は、着色された繊維を含む、又は例えば印刷によって第２の層２２を構成する色とは異なる色を有するように下塗りされている第２の層２２の所定の部分など、第２の層２２の構成要素であってよい。第２の付与された着色領域７０は、第２の層２２を構成する色であり、背景領域５０は、第２の層２２を構成する色とは異なる色を有するように下塗りされていてよい。第２の付与された着色領域７０は、例えば、第２の層２２の身体に面する側、又は第２の層２２の衣類に面する側に設けられてよく、第２の層２２の衣類に面する側は、着用者の身体から離れる方向に第１の層２０を向いて配向された吸収性物品の側である。第１の付与された着色領域６０及び第２の付与された着色領域７０を材料の２つの異なる層に設けることは、製造ラインを大幅に変更する必要なく、所望の吸収性物品５を製造できる製造方法をもたらす場合がある。
【００２１】
第１の付与された着色領域６０は、長手方向中心線Ｌと重なっていてよい。つまり、第１の付与された着色領域６０の一部は、長手方向中心線Ｌと交差してよい。
【００２２】
身体に面する表面１０を観察すると、観察者は、背景領域５０、第１の付与された着色領域６０、及び第２の付与された着色領域７０を見ることができる。第１の付与された着色領域６０及び第２の付与された着色領域７０は、第１の付与された着色領域６０及び第２の付与された着色領域７０が、背景領域５０と比較してそれぞれ色の点で異なるので、背景領域５０と視覚的に異なる。第１の付与された着色領域６０及び背景領域５０は、少なくとも約１のΔＥ（下記で詳述する）だけ、色の点で異なってよい。第１の付与された着色領域６０及び背景領域５０は、より明確な視覚的独自性が所望される場合、少なくとも約３のΔＥ（下記で詳述する）だけ、色の点で異なってよい。
【００２３】
同様に、第２の付与された着色領域７０及び背景領域５０は、少なくとも約１のΔＥだけ、色の点で異なってよい。第１の付与された着色領域６０及び第２の付与された着色領域７０の両方は、背景領域５０と比較して、少なくとも約１のΔＥだけ、色の点で異なってよい。２色の間に少なくとも約３のΔＥがある場合、第１の付与された着色領域６０及び第２の付与された着色領域７０は、より明確に視覚的に区別可能であり得る。
【００２４】
図１に示すように、第２の付与された着色領域７０は、直交する方向へ離れるように横方向に第１の付与された着色領域６０よりも広くてよい。第２の付与された着色領域７０は、第１の付与された着色領域６０を実質的に包囲してよい。現在の市販の吸収性物品を製造可能な製造ラインは、比較的狭い第１の付与された着色領域６０を印刷するように既に構成されている場合がある。例えば、一部の製造ラインは、約３０ｍｍのカートリッジ幅（製造ラインの横断方向で測定された場合）を有するインクジェット印刷装置を用いる場合がある。横断方向がより広い視覚信号を用いることを所望する製造業者は、十分な品質のより狭い第１の付与された着色領域６０を十分な速度で設けることが既に判明し得る比較的安価な装置をまだ保持しつつも、第２の層２２に第２の付与された着色領域７０（第２の付与された着色領域７０は第１の付与された着色領域６０よりも横方向により広くなっている）を作製する追加の構成要素を製造ラインに追加できる。第２の層２２は、単独で製造プロセスに供給され、続いて、第１の層２０及び第２の層２２、並びにこれらの上の付与された着色領域をもたらすように好適な方法で吸収性物品５と結合されてよく、視覚的な奥行き感又は吸収性物品５の増加した厚さなどの結合された視覚的印象を生じさせるように結合される。
【００２５】
第２の付与された着色領域７０は、視覚的に第１の付与された着色領域６０と相補的であるように設計されてよく、身体に面する表面１０のより広い／より多くの部分にわたって観察者に示される。第１の付与された着色領域６０とは異なる材料の層に第２の付与された着色領域７０を有することによって、より鮮やかな視覚的印象を吸収性物品５で作り出すことができると考えられる。例えば、第１の付与された着色領域６０及び第２の付与された着色領域７０は、異なる材料の層に位置するので、見た場合、他の着色領域を含む層を通して、少なくとも１つの着色領域が見える。別の層材料を通して見た着色領域は、艶消し仕上げの写真と光沢仕上げとの写真の違い、又は薄地の衣類の下での下着の見え方と幾分同じように、画像の柔らかさ／拡散性に関して著しく異なる視覚的印象を有してよい。更に、第１の付与された着色領域６０とは異なる材料の層に第２の付与された着色領域７０を有することは、第１の付与された着色領域６０をもたらすための方法及び装置を引き続き使用できるので、比較的幅広の第２の付与された着色領域７０及び第１の付与された着色領域６０を単一基材に印刷するように製造ラインを再編成するよりもコスト効率がよい。
【００２６】
更に、第１の付与された着色領域６０がインクジェット印刷によって設けられる場合、第１の付与された着色領域６０の設計は、単一パッケージ又は異なるパッケージ内の吸収性物品５が、第１の付与された着色領域６０に異なる設計を有することができるように容易に変更できる。第２の付与された着色領域７０は、容易に変更できない接触印刷装置によって設けられてよい。したがって、第２の付与された着色領域７０は、特定のブランド又は特定の品質の製品として消費者が認識できる一定の設計であってよい。かかる構成は、単一層上に比較的狭い第１の付与された着色領域６０を設けるために用いられる製造ラインの一部を変更せずに達成できる。
【００２７】
また、横方向に第１の付与された着色領域６０よりも広く延びている第２の付与された着色領域７０は、吸収性物品５のこのように横方向により広くなっている部分が、液体を捕捉して維持できるという印象を着用者にもたらすことができる。例えば、第２の付与された着色領域７０が横断方向ＣＤで吸収性物品５の相当な部分をまたいで延びる場合、吸収性物品５の観察者は、かかる第２の付与された着色領域７０を超えた液体の流入に対する障壁、又は吸収性物品５の機械方向ＭＤを液体が移動する際に、第２の付与された着色領域７０を液体が超えることを観察者が予想しない境界として、解釈してよい。
【００２８】
異なる材料の層に付与された様々な幅の着色領域は、吸収性物品５における奥行き感を作り出すため及び吸収性物品５の一部（液体の流入に対する障壁として機能してよい、又は機能すると認識されてよい吸収性物品５の一部など）の様々な機能を伝達するための多数の設計上の選択肢を設計者に与えてもよい。
【００２９】
第１の付与された着色領域６０は、重心４０上と重なっていてよい。重心４０は吸収性物品５の面内の質量の中心であり、ユーザーが、自身の膣口又は尿道に近位であるべき吸収性物品５の位置を連想する場合がある。第１の付与された着色領域６０が長手方向中心線に対して対称である設計は、第１の付与された着色領域６０が長手方向中心線Ｌに対して対称ではない設計よりも好ましい吸収性物品５の印象をもたらしてよい。
【００３０】
図１に示すように、第１の付与された着色領域６０及び第２の付与された着色領域７０は、長手方向中心線に沿って互いから離間していてよい。第１の付与された着色領域６０及び第２の付与された着色領域７０を離間することにより、製造中に２つの層が接合される、又は互いに重ね合わされるときに発生し得る、第１の層２０及び第２の層２２の不適切なフェージングが消費者にはそれほど明らかではないと考えられる。これは、第１の付与された着色領域６０と第２の付与された着色領域７０との間の間隙の１つのパッドと別のパッドとの比較的小さい差異を知覚することが困難であり得るからである。第１の付与された着色領域６０及び第２の付与された着色領域７０は、背景領域５０によって互いに分離されてよい。
【００３１】
図１に示すように、吸収性物品は周辺部１１０を有する。背景領域５０は、第２の付与された着色領域７０と周辺部１１０との間に位置してよい。かかる構成は、周辺部１１０が、吸収性物品１０の着色領域によって遮られることのない乱れのない線を有するという点で、改善された視覚的印象をもたらすと考えられる。同一の理由で、第１の付与された着色領域６０及び第２の付与された着色領域７０は、実質的に背景領域５０によって包囲されてよい。例えば、周辺部１１０の２５％未満は、第２の付与された着色領域７０、又は第１の付与された着色領域６０、又は第１の付与された着色領域６０と第２の付与された着色領域７０との組み合わせによって遮られてよい。第１の付与された着色領域６０は、背景領域５０によって包囲されてよい。
【００３２】
図１に示すように、第１の付与された着色領域６０は、実質的に細長い形状であってよい。理論に束縛されるものではないが、長手方向中心線Ｌと一致する、又はこれの上に位置する実質的に細長い形状は、吸収性物品５が、かかる細長い形状を欠く吸収性物品５と比較して細く見えるようにすると考えられる。消費者は、かかる印象から、明らかに狭い吸収性物品５は自身のパンティの股部に楽に収まるという考えを連想する場合がある。第１の付与された着色領域６０は、横方向中心線Ｔと重なっている周辺部１１０の部分の間の最大距離の約５０％未満の幅を有してよい。楕円形及び概して矩形の形状は、実質的に細長い形状の例である。より視覚的に一貫性のある設計をもたらすためには、第１の付与された着色領域６０及び第２の付与された着色領域７０は、約２００未満のＣＩＥＬａｂ色空間体積内にあってよい。ＣＩＥＬａｂ色空間体積については、下記で詳述する。かかる方法では、第１の付与された着色領域６０及び第２の付与された着色領域７０の色は、大部分の観察者の目には実質的に異ならず、観察者は、色が同じであるか、同じ色の色調又は微妙な変化であると認識する場合がある。色の微妙な変化は、見て快く、興味深くあり得る、室内装飾店に見られる微妙に異なる色を有するサンプル用塗料片に非常によく似て、目に快いと考えられる。第１の付与された着色領域６０と第２の付与された着色領域７０との間の差異が小さいことが望ましい場合、第１の付与された着色領域６０及び第２の付与された着色領域７０は、約５０未満のＣＩＥＬａｂ色空間体積内にあってよい。
【００３３】
第２の付与された着色領域７０は、実質的に弓形であってよい。弓形の第２の付与された着色領域７０は、吸収性物品における液体の流入に対する障壁、又は液体がかかる着色領域を超えない方がよい、若しくはこのような液体の流入が発生したら、近いうちに新しい製品を着用する準備をした方がよいことを消費者に示す表示を提供するものとして認識される、と考えられる。
【００３４】
弓形には、大なり記号、丸括弧、曲折アクセント記号（脱字記号とも呼ばれる）、及び角括弧など一般的なキーボードで見られるものに概して相当する形状、並びに概してＣ形の形状、並びに前述のいずれかの形状を微妙に修正したものが挙げられるが、これらに限定されない。本明細書で定義される弓形は、文字Ｃのように概して湾曲したもの、又は記号＜のようにより鋭角であってよい。したがって、弓形は必ずしも任意の特定の湾曲を有する必要がない。
【００３５】
弓形は、開放側と閉鎖側を有すると考えられる。閉鎖側は、弓形の脚部１２０が配向される側であり、開放側は、閉鎖側に対向する。例えば、弓形が閉じ丸括弧の場合、閉鎖側は括弧の左であり、開放側は括弧の右である。幾つかの実施形態では、脚部１２０は自由端１２５を有してよく、自由端が位置する場合、これは脚部１２０の端部である。自由端１２５は、第２の付与された着色領域７０の他の部分よりも横方向中心線Ｔの近くに位置してよい。第２の付与された着色領域７０は、自由端１２５間で連続していてよい。身体に面する表面１０から見た場合、脚部１２０は、第１の付与された着色領域６０と少なくとも部分的に重なり合ってよい、第１の付与された着色領域６０から離間していてよい、又は第１の付与された着色領域６０とまさに接触しているように見えてよい。身体に面する表面１０から見た場合、脚部１２０は、別の着色領域と少なくとも部分的に重なり合う、別の着色領域から離間している、又は別の着色領域とまさに接触していてよい。理論に束縛されるものではないが、閉鎖側が吸収性物品５の重心４０に向けて配向された弓形は、流入に対する障壁として消費者に認識されると考えられる。吸収性物品５の重心４０と周辺部１１０との間に適切なサイズ、面積、及び位置を備えるかかる形状は、通常の使用条件下で吸収性物品５で染みが予想されるべき場所の境界を示すことができる。第２の付与された着色領域７０は、長手方向中心線Ｌを中心として対称であってよい。
【００３６】
第１層２０は、トップシートであってよい。第１の層２０は、流体透過性ポリマーフィルム又は不織布材であってよい。第１の層２０は、二次トップシート又はインサート、例えば、着用時に着用者の身体と接触する材料と、液体を収集して維持するように設計されている吸収性コア９０との間に位置する中間層であってよい。第１の層２０は、吸収性コアであってよい。第１の層２０は、繊維性不織布であってよく、不織布の繊維は第２の層２２から突出している。第２の層２２から突出している不織布の繊維は、ニードルパンチング又は米国特許第７，４１０，６８３号に開示されている方法など１つのウェブの繊維を別のウェブを通して移動させるのに好適な他の方法によってもたらされてよい。
【００３７】
第２の層２２は、トップシートであってよい。第２の層２２は、流体透過性ポリマーフィルム、不織布材、又は別の好適な液体透過性材料であってよい。第２の層２２は、二次トップシート又はインサート、例えば、トップシートなど着用時に着用者の身体と接触する材料と、液体を収集して維持するように設計されている吸収性コア９０との間に位置する中間層であってよい。第２の層２２は、吸収性コアであってよい。
【００３８】
本明細書に記載の吸収性物品５は、第１の層２０に長手方向中心線Ｌと重なっている第１の付与された着色領域６０を設けることによって製造されてよい。第１の付与された着色６０区域は、第１の着色技術によって設けられてよい。第２の層２２には、長手方向中心線Ｌから直交する方向へ離れるように横方向に第１の付与された着色領域６０より広い第２の付与された着色領域７０が設けられてよく、第２の付与された着色領域７０が長手方向中心線Ｌをまたいで延びている。第２の付与された着色領域７０は、第２の着色技術によって設けられてよい。
【００３９】
第１の付与された着色領域６０及び第２の付与された着色領域７０のそれぞれは、インクジェット印刷、グラビア印刷、フレキソ印刷、リソグラフ印刷、スクリーン印刷、及びこれらの組み合わせからなる群から選択される技術によって設けられてよい。製造方法の１つの実施形態では、第１の付与された着色領域が着色される着色技術は、第２の付与された着色領域が着色される着色技術とは異なってよい。
【００４０】
第１の付与された着色領域６０及び第２の付与された着色領域７０を設ける他の方法としては、第１の付与された着色領域６０及び第２の付与された着色領域７０が、背景領域５０と比較して色の点で異なる構造体を設けることができる方法などが想到される。色は、例えば、第１の付与された着色領域６０及び第２の付与された着色領域７０が、背景領域５０と比較して色の点で異なるように、基材の一部を選択的に変色させることにより、１つの領域に付与されてよい。
【００４１】
吸収性物品５は、第１の層２０に前記長手方向中心線と重なっている第１の付与された着色領域６０を設ける工程を含む方法によって製造されてよく、前記第１の付与された着色領域は第１の着色技術によって設けられる。第２の層２２には、長手方向中心線Ｌから直交する方向へ離れるように横方向に第１の付与された着色領域６０よりも広い第２の付与された着色領域７０が設けられてよい。第２の付与された着色領域７０は、長手方向中心線Ｌをまたいで在びてよい。第２の付与された着色領域７０は、第２の着色技術によって設けられてよい。第１の層２０及び第２の層２２は、互いに重ね合わされてよい。結果として生じる吸収性物品５は、背景領域５０を含んでよい。背景領域５０、第１の付与された着色領域６０、及び第２の付与された着色領域７０は、吸収性物品５の身体に面する表面１０から見えてよい。第１の付与された着色領域６０及び第２の付与された着色領域７０は、背景領域５０と比較して色の点で異なる。
【００４２】
図２には、図１に図示した吸収性物品５の断面図を示す。吸収性物品５の各構成要素は、身体に面する側１１と、衣類に面する側１２と、を有すると考えられてよい。吸収性物品の使用時には、身体に面する側１１が着用者の身体に向けて配向され、衣類に面する側１２は、身体に面する側１１に対向する。
【００４３】
図３は、第１の付与された着色領域を有する吸収性物品５の第１の層２０の概略図である。図４は、第２の付与された着色領域を有する吸収性物品５の第２の層２２の概略図である。図３に図示した第１の層２０は、図４に図示した第２の層２２と重ね合わされて、図１に図示したものに類似の視覚的印象を有する吸収性物品５を作り出してよい。
【００４４】
図５には、第２の付与された着色領域７０の実施例を示す。図５に図示した第２の付与された着色領域７０（第２の付与された着色領域７０の他の部分よりも狭い自由端１２５を有する）は、液体が第２の付与された着色領域７０を超えて延びる場合は、新しい物品５が必要になり得ることを示す境界を表現するものとして、ユーザーにより効果的に認識されてよい。図５に示すように、吸収性物品５は、２個の第２の付与された着色領域７０を含んでよく、第１の付与された着色領域６０は、２個の第２の付与された着色領域７０の間に位置する。
【００４５】
第１の付与された着色領域６０及び第２の付与された着色領域７０及び背景領域５０の色は、色のＬ＊値、ａ＊値、ｂ＊値に従って反射分光光度計によって測定される。Ｌ＊値、ａ＊値、及びｂ＊値は、吸収性物品５の周辺部１１０の内側寄りにある、吸収性物品５の身体に面する表面１０から測定される。色差は、Ｌ＊値、ａ＊値、及びｂ＊値を用いて、式ΔＥ＝［（Ｌ＊Ｘ・−Ｌ＊Ｙ）２＋（ａ＊Ｘ・−ａ＊Ｙ）２＋（ｂ＊Ｘ−ｂ＊Ｙ）２］１／２により計算される。本明細書において、式中の「Ｘ」は第１の付与された着色領域６０、第２の付与された着色領域７０、又は背景領域５０を表してよく、「Ｙ」はかかる領域の色の比較対象である別の領域の色を表してよい。Ｘ及びＹは、同時に同じ２つの測定点であってはならない。換言すれば、いずれの特定の式差比較についても、Ｘの位置≠Ｙの位置である。
【００４６】
３色以上を用いる場合、「Ｘ」と「Ｙ」の値は、それ自体の中に測定点も交互に含む。本明細書におけるΔＥの計算で重要な点は、「Ｘ」値及び「Ｙ」値が、視認表面の同一の測定点から生じるべきではないことである。測定区域の範囲内に背景領域５０が事実上位置しない場合には、「Ｘ」値は、「Ｙ」値に対する空間関係において異なるが、吸収性コアの周辺部の範囲内である点から生じるべきである。
【００４７】
ヴァージニア州レストン（Reston）のハンター・アソシエイツ・ラボラトリー（Hunter Associates Laboratory）ハンター・ラボ・ラボスキャンＸＥ反射分光光度計（Hunter Lab LabScan XE reflectance spectrophotometer）を使用して、反射色が測定される。吸収性物品５は、１８℃（６５°Ｆ）〜２４℃（７５°Ｆ）の周囲温度及び５０％〜８０％の相対湿度において試験する。
【００４８】
分光光度計をＣＩＥＬａｂ色スケールに設定し、Ｄ６５照明を用いる。観察者（Observer）を１０°に設定し、モード（Mode）を４５／０°に設定する。面積視野（Area View）を０．３１８ｃｍ（０．１２５インチ）に設定し、フィルムに対してポートサイズ（Port Size）を０．５１ｃｍ（０．２０インチ）に設定する。分光光度計を較正してから、供給業者から機器と共に供給される黒のガラス及び白の参照用タイルを用いてサンプルを分析する。較正はＬａｂＳｃａｎ  ＸＥユーザーズマニュアル、マニュアルバージョン１．１、２００１年８月、Ａ６０−１０１０−８６２に記載されているように製造業者の取扱説明書に従って実施する。参照用タイル又はサンプルのクリーニングが必要な場合、エンボス加工、ローション、又は光沢剤を含まないティッシュ（例えば、Ｐｕｆｆｓティッシュ）のみを使用する。分析対象となる、付与された色を含む吸収性物品上の任意のサンプル点を選択できる。
【００４９】
吸収性物品５の背後に白色のクランプディスクを配置した状態で、吸収性物品５を分光光度計のサンプルポートの上に配置する。吸収性物品５、実質的に平らで、しわの無い状態にする必要がある。
【００５０】
身体に面する表面１０の色の測定を最低６回実施するように、吸収性物品５を取り外して、再配置する。可能な場合（例えば、対象となる要素上の付与された色のサイズが、６個の別個の異なる互いに重なり合わない試料点を得ることを制限しない場合）、どの２個の試料点も重なり合うことがないように、各読み取りを外側に見える表面上の実質的に異なる領域で実施する。付与された着色領域のサイズが、サンプル点の重なり合いを必要とする場合、任意の２個のサンプル点間の重なり合いも最小限に抑えるように選択されたサンプル点を持つ、６個のサンプルだけを取得すべきである。測定値を平均して、外側に見える要素の表面上の指定された色について記録されたＬ＊、ａ＊、及びｂ＊値を得る。
【００５１】
ＣＩＥＬａｂ色空間体積Ｖを計算すると、測定対象である特定の領域群について、記録されたＬ＊、ａ＊、及びｂ＊の最大値及び最小値が定められる。記録されたＬ＊、ａ＊、及びｂ＊の最大値及び最小値を用いて、次の式に従ってＣＩＥＬａｂ色空間の体積Ｖを計算する。
【数１】
0005497180.tif 000002
上記の式中、ΔＬ＊は、比較する２個の着色領域のＬ＊値の差であり、ΔＬ＊＝Ｌ＊Ｘ−Ｌ＊Ｙによって計算される。Δａ＊は、比較する２個の着色領域のａ＊値の差であり、Δａ＊＝ａ＊Ｘ−ａ＊Ｙによって計算される。Δｂ＊は、比較する２個の着色領域のｂ＊値の差であり、Δｂ＊＝ｂ＊Ｘ−ｂ＊Ｙによって計算される。ＣＩＥＬａｂ色空間体積は、実質的に立体楕円形の形状をもたらしてよい。ΔＬ＊、Δａ＊、及びΔｂ＊が等しい場合、この立体は球形になる。本明細書で使用する場合、「立体」は、長さ、幅、及び高さ（又は奥行き）を有する三次元形の数学的概念を指す。楕円では一般に、ΔＬ＊、Δａ＊、及びΔｂ＊の次元差が他の立体よりも比較的均一になることが必要なので、体積を計算するには楕円の体積が好ましい。更に、楕円の体積は、球形の体積よりも視覚的に受け入れやすい（即ち、人間の知覚による色のミスマッチを検出しにくい）と考えられている。
【００５２】
幾つかの実施形態では、別個の要素の外側から見える少なくとも２つの表面の付与された色は、約２００未満のＣＩＥＬａｂ色空間体積を占めることになる。これらの外側から見える表面は、後述する試験方法に従って分析する。分析すると、外側から見える表面を含む要素の固有の色から、Ｌ＊、ａ＊、及びｂ＊の座標が得られる。次に、上記の式を用いて、ＣＩＥＬａｂ色空間体積が計算される。得られる体積は約２００未満であってよい。得られる体積は約５０未満であってよい。
【００５３】
見える表面を有する３個以上の別個の着色領域の付与された色が、前述のＣＩＥＬａｂ色空間体積を占めることができることを認識すべきである。３個以上の要素のＣＩＥＬａｂ色空間体積を計算する際には、一連の要素の最大及び最小のＬ＊、ａ＊、及びｂ＊を用いて、ＣＩＥＬａｂ色空間体積が計算される。最大の色値及び最小の色値を使用して、以上に提示した式に従ってＶを計算する。
【００５４】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００５５】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。
【００５６】
本発明の特定の実施形態が説明及び記載されてきたが、本発明の趣旨及び範囲から逸脱することなく他の様々な変更及び修正を行えることが当業者には明白であろう。したがって、本発明の範囲内にあるそのような全ての変更及び修正を、添付の「特許請求の範囲」で扱うものとする。
【図１】
0005497180.tif 000003
【図２】
0005497180.tif 000004
【図３】
0005497180.tif 000005
【図４】
0005497180.tif 000006
【図５】
0005497180.tif 000007